(57)【要約】【課題】負荷に影響する状態か否かを正確に判断でき、且つ、異常状態からの再起動の過渡状態に電圧出力を再度停止することがない電源監視制御方式を提供する。【解決手段】電源の二次側の状況を二次側監視手段にて監視し、監視の結果二次側の状況が異常な場合に二次側停止手段によって電圧出力を一旦停止した後に再起動させる電源監視制御方式において、二次側の電圧が正常に立ち上がったことを確認する正常立ち上がり監視手段と、該正常立ち上がり監視手段が二次側の電圧が正常に立ち上がったことを確認した時に、該二次側監視手段の監視動作を開始させる監視要否切り替え手段とを備えて構成する。【選択図】      図１
2004187402.tif 000002
【特許請求の範囲】
【請求項１】
電源の二次側の状況を二次側監視手段にて監視し、監視の結果二次側の状況が異常な場合に二次側制御手段によって電圧出力を一旦停止した後に再起動させる電源監視制御方式において、
二次側の電圧が正常に立ち上がったことを確認する正常立ち上がり監視手段と、
該正常立ち上がり監視手段が二次側の電圧が正常に立ち上がったことを確認した時に、該二次側監視手段の監視動作を開始させる監視要否切り替え手段と
を備える
ことを特徴とする電源監視制御方式。
【請求項２】
請求項１に記載の電源監視制御方式において、
上記正常立ち上がり監視手段と上記監視要否切り替え手段との間に、遅延手段を配置する                                                              ことを特徴とする電源監視制御方式。
【請求項３】
請求項１又は請求項２のいずれかに記載の電源監視制御方式において、
上記監視要否切り替え手段が出力する監視を停止する旨の信号によって、上記二次側監視手段の動作を無視する
ことを特徴とする電源監視制御方式。
【発明の詳細な説明】
【０００１】
【発明の属する技術分野】
本発明は、電源の二次側の状況を二次側監視手段にて監視し、監視の結果二次側の状況が異常な場合に二次側制御手段によって電圧出力を一旦停止した後に再起動させる電源監視制御方式に係り、特に、電源の二次側の状況が負荷に影響する状態か否かを正確に判断でき、且つ、異常状態からの再起動の過渡状態に電圧出力を再度停止することがない電源監視制御方式に関する。
【０００２】
通信装置においても、情報処理装置においても、通信機能や情報処理機能を実現する回路や装置には能動素子を用いた回路が必須で、該能動素子を動作させるためには電力エネルギーを供給しなければならない。従って、通信装置や情報処理装置は電源を内蔵しており、しかも、該電源に電力エネルギーを供給する電源供給装置が通信装置や情報処理装置の外部に設けられるようになっている。
【０００３】
又、最近では、通信装置や情報処理装置を構成するプリント板ユニット（これを「ボード」と呼ぶ。）上に小型の電源（ボード上に配置された電源という意味で、これを「オン・ボード電源」と呼ぶ。）を配置して、ボード毎に通信機能や情報処理機能を実現する回路（本明細書では、これを「負荷回路」と呼ぶことにする。）に電力エネルギーを供給する形態がとられることが多くなっている。この場合には、通信装置や情報処理装置が内蔵している共通の電源がオン・ボード電源を駆動し、該オン・ボード電源が負荷回路に電力エネルギーを供給する形態になっている。
【０００４】
いずれの形態も、技術的には本質的な差がないので、以降は、通信装置や情報処理装置を構成するボード上に小型のオン・ボード電源を配置して、ボード毎に通信機能や情報処理機能を実現する負荷回路に電力エネルギーを供給する形態を例にして説明を進めてゆくことにする。
図１６は、電源瞬断発生時の問題点を説明する図で、通信装置や情報処理装置に共通の電源がオン・ボード電源を駆動し、該オン・ボード電源が負荷回路に電力エネルギーを供給する形態を例に、電源瞬断発生時の問題点を説明するものである。
【０００５】
図１６において、５１は電源供給装置、６０は補助電源装置、５２はオン・ボード電源、５３は負荷回路である。そして、オン・ボード電源５２及び負荷回路５３を搭載したプリント板ユニットは複数あるが、図では一つのみを図示している。又、補助電源装置６０は電源供給装置５１の異常時に電源供給装置５１をバック・アップしてプリント板ユニットに電力エネルギーを供給するもので、典型的には常時フローティングで充電をしている蓄電池で構成される。
【０００６】
電源供給装置５１になんらかの異常が発生した場合には、図示を省略している電源切り替え装置が作動して、補助電源装置６０の出力をオン・ボード電源５２に供給する。この際、電源供給装置５１の出力端子とオン・ボード電源５２の入力端子との間の接続が一旦切断され、ややあって、補助電源装置６０の出力端子とオン・ボード電源５２の入力端子が接続されることになる。従って、電源供給装置５１と補助電源装置６０の切り替え時には短時間の電源断即ち瞬断が生ずる。
【０００７】
オン・ボード電源５２の一次側で瞬断が生ずると、オン・ボード電源５２の二次側の電圧は一次低下して所謂ディップが生ずる。該ディップの大きさは、瞬断時間、瞬断の際の電圧低下によって決まるが、オン・ボード電源５２の二次側の電圧が完全に消失した後に復帰するような場合には、負荷回路５３は問題なく再起動される。
【０００８】
しかし、オン・ボード電源５２中に残留電荷が残るような短時間の瞬断の場合には、図１６に示してある如く、オン・ボード電源５２の二次側の電圧が完全に消失しないで復旧することがある。このような場合には、負荷回路５３の構成によっては、負荷回路５３がフリーズしてしまい、オン・ボード電源５２を一旦停止して再起動しなければ負荷回路５３をフリーズから解除できないことがよくある。
【０００９】
上記問題点を解決するために、オン・ボード電源５２の一次側又は二次側を監視して、瞬断やディップを検知した時にオン・ボード電源５２の電圧出力を一旦停止させ、再起動するという復帰手法がとられている。この場合、負荷に影響する状態か否かを正確に判断し、異常状態からの再起動の過渡状態に電圧出力を再度停止することがない電源監視制御方式の実現が望まれている。
【００１０】
【従来の技術】
図１４は、従来の電源監視制御方式（その１）で、オン・ボード電源の一次側の電圧を監視して二次側に出力する電圧を一旦停止したのち復旧する方式である。
図１４において、５１は電源供給装置、５２はオン・ボード電源、５３は負荷回路である。そして、オン・ボード電源５２及び負荷回路５３を搭載したプリント板ユニットは複数あるが、図では一つのみを図示している。尚、図１６を用いた上記説明では、電源供給装置の異常時の補助電源装置への切り替え中に発生する瞬断を問題にしたが、電源供給装置５１自体も瞬断を発生することがあり、いずれの瞬断の影響も実質的には同じであるので、補助電源装置の存在は無視して説明することにして、補助電源装置の図示を省略している。これら図示に関する２つのことは以降の全ての図に共通である。
【００１１】
又、５９はオン・ボード電源５２の一次側の電圧を監視する一次側監視手段、５８は一次側監視手段５９が一次側の電圧異常を検出した時にオン・ボード電源５２の二次側への電圧出力を一時停止する二次側制御手段である。
図１４の構成は、次のように動作する。即ち、オン・ボード電源５２の監視を一次側監視手段５９によって行ない、一次側監視手段５９が一次側電圧の異常を検出すると二次側制御手段５８がオン・ボード電源５２の電圧出力を一旦停止し、一次側監視手段５９が一次側電圧の復旧を検出すると二次側制御手段５８の停止動作を解除してオン・ボード電源５２を再起動して負荷回路５３への電力供給を復旧させる。
【００１２】
特許文献１、即ち、特開昭５８−１６６４１０号公報に記載の技術は、ＡＣ入力側（一次側）の監視を行なって、異常があった場合には電源を一旦リセットするもので、本質的に上記技術と同じである。
図１５は、従来の電源監視制御方式（その２）で、オン・ボード電源の二次側の電圧を監視して二次側に出力する電圧を一旦停止したのち復旧する方式である。
【００１３】
図１５において、５１は電源供給装置、５２はオン・ボード電源、５３は負荷回路、５４はオン・ボード電源５２の二次側の電圧を監視する二次側監視手段、５８は二次側監視手段が二次側の異常を検出した時にオン・ボード電源５２の二次側への電圧出力を一時停止する二次側制御手段である。
図１５の構成は、次のように動作する。即ち、オン・ボード電源５２の監視を二次側監視手段５４によって行ない、二次側監視手段５４が二次側電圧の異常を検出すると二次側制御手段５８がオン・ボード電源５２の電圧出力を一旦停止し、二次側監視手段５４が二次側電圧の復旧を検出すると二次側制御手段５８の停止動作を解除してオン・ボード電源５２を再起動して負荷回路５３への電力供給を復旧させる。
【００１４】
特許文献２、即ち、特開平０２−０６４８０７号公報に記載の技術は、二次側の監視を行なって、異常があった場合には電源を一旦リセットするもので、本質的に上記技術と同じである。
【００１５】
【特許文献１】特開昭５８−１６６４１０号公報
【００１６】
【特許文献２】特開平０２−０６４８０７号公報
【００１７】
【発明が解決しようとする課題】
従来の電源監視制御方式（その１）は、オン・ボード電源の一次側の異常を監視してオン・ボード電源の二次側への電圧出力を一旦停止するものである。従って、一次側で生ずる瞬断の状況によって二次側に生ずる電圧降下の実態を監視せず、即ち、該瞬断が負荷回路の動作に影響するか否かを判断せずにオン・ボード電源の二次側への電圧出力を一旦停止するので、オン・ボード電源の電圧出力を停止する必要がない軽微な瞬断に対しても二次側への電圧出力を停止する恐れがある。
【００１８】
又、従来の電源監視制御方式（その２）は、オン・ボード電源の二次側の異常を監視してオン・ボード電源の二次側への電圧出力を一旦停止するものである。
従って、該瞬断が負荷回路の動作に影響するか否かを判断した上でオン・ボード電源の二次側への電圧出力を一旦停止することができるので、オン・ボード電源の電圧出力を停止する必要がない軽微な瞬断に対しては二次側への電圧出力を停止する恐れが見掛け上なくなる。
【００１９】
しかし、二次側の電圧が異常であるという判断を二次側電圧が所定の電圧以下という条件にて行うと、二次側停止を解除して再起動中は二次側電圧が所定の電圧以下という状態になるので、再度二次側電圧が異常であると検出して再度停止することになり、結果的にはオン・ボード電源自体をフリーズさせてしまい、負荷回路に電力が供給されないという最悪の事態を招く。
【００２０】
本発明は、電源の二次側の状況を二次側監視手段にて監視し、監視の結果二次側の状況が異常な場合に二次側制御手段によって電圧出力を一旦停止した後に再起動させる電源監視制御方式に関し、二次側の状況が負荷に影響する状態か否かを正確に判断でき、且つ、異常状態からの再起動の過渡状態に電圧出力を再度停止することがない電源監視制御方式を提供することを目的とする。
【００２１】
【課題を解決するための手段】
上記課題を解決するための第一の発明は、電源の二次側の状況を二次側監視手段にて監視し、監視の結果二次側の状況が異常な場合に二次側制御手段によって電圧出力を一旦停止した後に再起動させる電源監視制御方式において、二次側の電圧が正常に立ち上がったことを確認する正常立ち上がり監視手段と、該正常立ち上がり監視手段が二次側の電圧が正常に立ち上がったことを確認した時に、該二次側監視手段の監視動作を開始させる監視要否切り替え手段とを備えることを特徴とする電源監視制御方式である。
【００２２】
第一の発明によれば、二次側の電圧が正常に立ち上がったことを確認する正常立ち上がり監視手段を備えるので、負荷に影響する状態か否かを正確に判断でき、且つ、該正常立ち上がり監視手段が二次側の電圧が正常に立ち上がったことを確認した時に、該二次側監視手段の監視動作を開始させる監視要否切り替え手段とを備えるので、異常状態からの再起動の過渡状態に電圧出力を再度停止することがない。
【００２３】
第二の発明は、第一の発明の電源監視制御方式において、上記正常立ち上がり監視手段と上記監視要否切り替え手段との間に、遅延手段を配置することを特徴とする電源監視制御方式である。
第二の発明によれば、該正常立ち上がり監視手段と該監視要否切り替え手段との間に、遅延手段を配置することにより、該正常立ち上がり監視手段が二次側の電圧が正常に立ち上がったことを確認した後で該監視要否切り替え手段が監視要否の切り替えを行なうので、異常状態からの再起動動作を確実にすることができる。
【００２４】
第三の発明は、第一の発明又は第二の発明のいずれかの電源監視制御方式において、上記監視要否切り替え手段が出力する監視を停止する旨の信号によって、上記二次側監視手段の動作を無視することを特徴とする電源監視制御方式である。
第三の発明によれば、監視要否切り替え手段が出力する監視を停止する旨の信号によって、二次側監視手段の動作を無視するので、異常状態からの再起動動作を確実にするための遅延手段を使用しなくても、異常状態からの再起動動作を確実にすることができる。
【００２５】
【発明の実施の形態】
以降、図面を併用して本発明の技術を詳細に説明する。
図１は、本発明の電源監視制御方式の原理（その１）である。
図１において、５１は電源供給装置である。
又、５２はオン・ボード電源、５３は負荷回路である。
【００２６】
更に、５４はオン・ボード電源の二次側の電圧を監視する二次側監視手段、５５は二次側の電圧が正常に立ち上がったことを確認する正常立ち上がり監視手段、５７は正常立ち上がり監視手段５５が二次側の電圧が正常に立ち上がったことを確認した時に、二次側監視手段５４の監視動作を開始させ、正常立ち上がり監視手段５５が二次側の電圧が正常に立ち上がったことを確認しない間は、二次側監視手段５４の監視動作を禁止する監視要否切り替え手段、５８は二次側監視手段５４の監視結果が異常な場合に電圧出力を一旦停止した後に再起動させる二次側制御手段である。
【００２７】
図１の構成の特徴は、電源の二次側の電圧を二次側監視手段５４にて監視し、監視の結果二次側の電圧が異常な場合に二次側制御手段５８によって電圧出力を一旦停止した後に再起動させる電源監視制御方式において、二次側の電圧が正常に立ち上がったことを確認する正常立ち上がり監視手段５５と、正常立ち上がり監視手段５５が二次側の電圧が正常に立ち上がったことを確認した時に、二次側監視手段５４の監視動作を開始させ、正常立ち上がり監視手段５５が二次側の電圧が正常に立ち上がったことを確認しない間は、二次側監視手段５４の監視動作を禁止する監視要否切り替え手段とを設けたことにある。
【００２８】
即ち、監視要否切り替え手段５７が、正常立ち上がり監視手段５５が二次側の電圧が正常に立ち上がったことを確認した時に初めて二次側監視手段５４の監視動作を開始させ、正常立ち上がり監視手段５５が二次側の電圧が正常に立ち上がったことを確認しない間は、二次側監視手段５４の監視動作を禁止するので、オン・ボード電源５２が復旧中の過渡状態に二次側監視手段５４が二次側電圧が異常であると検出することがなく、異常状態からの再起動の過渡状態に電圧出力を再度停止することがなくなる。勿論、二次側の電圧を直接監視するので、負荷回路に影響がある電圧降下か否かを正確に判断することができる。
【００２９】
尚、本発明の具体的な実施の形態の説明にて明らかになるが、監視要否切り替え手段５７によって二次側監視手段５４を制御する手法には、監視要否切り替え手段５７が監視中を指示している時に二次側監視手段５４の出力による二次側制御手段５８の制御動作を有効にする手法と、監視要否切り替え手段５７の出力によって二次側監視手段５４の動作を直接制御する手法とがある。
【００３０】
図２は、本発明の電源監視制御方式の原理（その２）である。
図２において、５１は電源供給装置である。
又、５２はオン・ボード電源、５３は負荷回路である。
更に、５４はオン・ボード電源の二次側の電圧を監視する二次側監視手段、５５は二次側の電圧が正常に立ち上がったことを確認する正常立ち上がり監視手段、５６は正常立ち上がり監視手段５５の出力を遅延させる遅延手段、５７は正常立ち上がり監視手段５５が二次側の電圧が正常に立ち上がったことを確認した信号が遅延手段５６を通過した時に、二次側監視手段５４の監視動作を開始させ、正常立ち上がり監視手段５５が二次側の電圧が正常に立ち上がったことを確認しない間は、二次側監視手段５４の監視動作を禁止する監視要否切り替え手段、５８は二次側監視手段５４の監視結果が異常な場合に電圧出力を一旦停止した後に再起動させる二次側制御手段である。
【００３１】
図２の構成の特徴は、電源の二次側の電圧を二次側監視手段５４にて監視し、監視の結果二次側の電圧が異常な場合に二次側制御手段５８によって電圧出力を一旦停止した後に再起動させる電源監視制御方式において、二次側の電圧が正常に立ち上がったことを確認する正常立ち上がり監視手段５５と、正常立ち上がり監視手段５５の出力信号を遅延させる遅延手段５６と、正常立ち上がり監視手段５５が二次側の電圧が正常に立ち上がったことを確認した信号が遅延手段５６を通過した時に、二次側監視手段５４の監視動作を開始させ、正常立ち上がり監視手段５５が二次側の電圧が正常に立ち上がったことを確認しない間は、二次側監視手段５４の監視動作を禁止する監視要否切り替え手段とを設けたことにある。
【００３２】
即ち、監視要否切り替え手段５７が、正常立ち上がり監視手段５５が二次側の電圧が正常に立ち上がったことを確認した信号が遅延手段５６を通過した時に初めて二次側監視手段５４の監視動作を開始させ、正常立ち上がり監視手段５５が二次側の電圧が正常に立ち上がったことを確認しない間は、二次側監視手段５４の監視動作を禁止するので、オン・ボード電源５２が復旧中の過渡状態に二次側監視手段５４が二次側が異常であると検出することが全くなくなり、異常状態からの再起動の過渡状態の動作を更に安定化することができる。勿論、二次側の電圧を直接監視するので、負荷回路に影響がある電圧降下か否かを正確に判断することができる。
【００３３】
図３は、本発明の電源監視制御方式の原理（その３）である。
図３において、５１は電源供給装置である。
又、５２はオン・ボード電源、５３は負荷回路である。
更に、５４ａは二次側監視手段として負荷回路５３の状態を監視する警報検出手段、５５は二次側の電圧が正常に立ち上がったことを確認する正常立ち上がり監視手段、５６は正常立ち上がり監視手段５５の出力を遅延させる遅延手段、５７は正常立ち上がり監視手段５５が二次側の電圧が正常に立ち上がったことを確認した信号が遅延手段５６を通過した時に、警報検出手段５４ａの監視動作を開始させ、正常立ち上がり監視手段５５が二次側の電圧が正常に立ち上がったことを確認しない間は、警報検出手段５４ａの監視動作を禁止する監視要否切り替え手段、５８は警報検出手段５４ａの監視結果が異常な場合に電圧出力を一旦停止した後に再起動させる二次側制御手段である。
【００３４】
図３の構成の特徴は、電源の二次側の状態を二次側監視手段にて監視し、監視の結果二次側の状態が異常な場合に二次側制御手段５８によって電圧出力を一旦停止した後に再起動させる電源監視制御方式において、二次側監視手段として警報検出手段５４ａを配置し、二次側の電圧が正常に立ち上がったことを確認する正常立ち上がり監視手段５５と、正常立ち上がり監視手段５５の出力信号を遅延させる遅延手段５６と、正常立ち上がり監視手段５５が二次側の電圧が正常に立ち上がったことを確認した信号が遅延手段５６を通過した時に、二次側監視手段５４の監視動作を開始させ、正常立ち上がり監視手段５５が二次側の電圧が正常に立ち上がったことを確認しない間は、二次側監視手段５４の監視動作を禁止する監視要否切り替え手段とを設けたことにある。
【００３５】
即ち、監視要否切り替え手段５７が、正常立ち上がり監視手段５５が二次側の電圧が正常に立ち上がったことを確認した信号が遅延手段５６を通過した時に初めて二次側監視手段５４の監視動作を開始させ、正常立ち上がり監視手段５５が二次側の電圧が正常に立ち上がったことを確認しない間は、二次側監視手段５４の監視動作を禁止するので、オン・ボード電源５２が復旧中の過渡状態に二次側監視手段５４が二次側が異常であると検出することが全くなくなり、異常状態からの再起動の過渡状態の動作を更に安定化することができる。そして、二次側の状態を負荷回路５３の警報を検出して判断するので、負荷回路に影響がある電圧降下か否かを更に正確に判断してオン・ボード電源の監視制御をすることができる。
【００３６】
図４は、本発明の第一の実施の形態である。
図４において、５１は電源供給装置、５２はオン・ボード電源、５３は負荷回路である。
そして、１は二次側制御手段を構成するリレー（単に「リレー１」と略記することがある。又、図では「ＲＬ１」と略記している。以降、他のリレーも含めて、図では同様に記載する。）、１ａは二次側制御手段を構成するリレーの接点（単に「リレー１の接点」」と略記することがある。）、２は正常立ち上がり監視手段を構成するリレー（単に「リレー２」と略記することがある。）、２ａは正常立ち上がり監視手段を構成するリレーの接点（単に「リレー２の接点」」と略記することがある。）、３は監視要否切り替え手段を構成するリレー（単に「リレー３」と略記することがある。）、３ａは監視要否切り替え手段を構成するリレーの接点（単に「リレー３の接点」」と略記することがある。）である。
【００３７】
又、４は二次側監視手段を構成するリセットＩＣ（図では「ＲＳＴ」と略記している。以降も、図では同様に記載する。）である。これは、電源が投入されて所定時間が経過するとロー・レベルからハイ・レベルに遷移するリセット信号を出力し、電源の電圧が低下すると直ちにロー・レベルの信号を出力する広く適用されている回路である。
【００３８】
図５は、図４の構成のタイミング・チャートである。以降、図４及び図５を参照して、図４の構成の動作を説明する。
初期状態では、リレー１、リレー２及びリレー３の接点は全て開放状態にある。尚、リレーの接点の開放状態はロー側の線で表現し、閉成状態はハイ側の線で表現し、開放と閉成の過渡状態を斜めの線で表現する。又、電圧は、ロー側の線で電圧出力がない状態を表現し、ハイ側の線で電圧出力が正常値である状態を表現し、それらの間の過渡状態を斜めの線で表現する。
【００３９】
電源供給装置５１の電源が投入され、オン・ボード電源５２の一次側の電圧が正常値になり、これに伴ってオン・ボード電源５２の二次側の電圧が正常値になると、オン・ボード電源５２の二次側の端子間に接続されているリレー２に十分な電流が流れて、まずリレー２の接点２ａが閉成する。
リレー２の接点２ａが閉成すると、リレー３に十分な電流が流れてリレー３の接点３ａが閉成し、二次側の監視が開始される。
【００４０】
一方、リセットＩＣ４は、オン・ボード電源５２の二次側の電圧が正常値になって所定時間が経過すると、ハイ・レベルの信号を出力するようになる。ここで、リレー３の接点３ａの閉成よりリセットＩＣ４の出力のハイ・レベルへの遷移が早くする必要があるが、これは、リレー３とリセットＩＣ４の選択によって可能である。
【００４１】
リセットＩＣ４がハイ・レベルの信号を出力していて、リレー３の接点３ａが閉成している時には、リレー１には電流が流れずにリレー１の接点１ａは開放になっている。従って、オン・ボード電源５２のＲＣ端子にはアース電位が与えられず、オン・ボード電源５２にはリセットがかからず、オン・ボード電源５２の二次側の電圧は正常値を保っている。
【００４２】
この状態で電源供給装置５１の出力に瞬断が発生してオン・ボード電源５２の一次側の電圧に瞬断が発生すると、オン・ボード電源５２の二次側の電圧は低下する。
このオン・ボード電源５２の二次側の電圧の低下をリセットＩＣ４が直ちに検出して、リセットＩＣ４はロー・レベルの信号を出力するようになる。この時、リレー３の接点３ａは閉成しているので、リレー１に十分な電流が流れるようになって、リレー１の接点１ａが閉成し、オン・ボード電源５２のＲＣ端子にアース電圧を供給してオン・ボード電源５２の二次側への電圧出力を停止する。
【００４３】
又、上記オン・ボード電源５２の二次側の電圧の低下によってリレー２には十分な電流が流れられなくなり、リレー２の接点２ａは開放になる。
リレー２の接点２ａが開放になると、リレー３に十分な電流が流れられなくなり、リレー３の接点３ａが開放になる。
リレー３の接点３ａの開放に伴って、リレー３の接点３ａと直列に接続されているリレー１には十分な電流が流れられなくなり、リレー１の接点１ａは開放になる。従って、オン・ボード電源５２の二次側への電圧出力の停止は解除される。
【００４４】
電圧出力停止の解除後、オン・ボード電源５２の二次側の電圧が復旧すると、先に説明した電源投入時と全く同じ動作が行なわれ、最終的にリレー１の接点１ａが開放状態、リレー２の接点２ａが閉成状態、リレー３の接点３ａが閉成状態を保ち、又、リセットＩＣ４がハイ・レベルの信号を出力し続けて、リレー１、リレー２、リレー３及びリセットＩＣ４によってオン・ボード電源５２の二次側の電圧を監視し続けている。
【００４５】
即ち、正常立ち上がり監視手段を構成するリレー２、監視要否切り替え手段を構成するリレー３を備え、二次側監視手段を構成するリセットＩＣの出力の立ち上がりがリレー３の接点３ａの閉成より早くするように部品を選択することによって、オン・ボード電源５２の二次側の電圧の過渡状態にオン・ボード電源５２を再度停止させることがなくなる。しかも、二次側の電圧の変化を直接検出してリセットＩＣ４、リレー２、リレー３及びリレー１を動作させるので、負荷回路５３に影響がある電圧変化に対応してオン・ボード電源の監視制御を行なうことができる。
【００４６】
図６は、本発明の第二の実施の形態である。
図６において、５１は電源供給装置、５２はオン・ボード電源、５３は負荷回路である。
そして、１は二次側制御手段を構成するリレー、１ａは二次側制御手段を構成するリレーの接点、２は正常立ち上がり監視手段を構成するリレー、２ａは正常立ち上がり監視手段を構成するリレーの接点、３は監視要否切り替え手段を構成するリレー、３ａは監視要否切り替え手段を構成するリレーの接点である。
【００４７】
又、４は二次側監視手段を構成するリセットＩＣである。
図７は、図６の構成のタイミング・チャートである。以降、図６及び図７を参照して、図６の構成の動作を説明する。
初期状態では、リレー１、リレー２及びリレー３の接点は全て開放状態にある。
【００４８】
電源供給装置５１の電源が投入され、オン・ボード電源５２の一次側の電圧が正常値になり、これに伴ってオン・ボード電源５２の二次側の電圧が正常値になると、リレー２に十分な電流が流れてまずリレー２の接点２ａが閉成する。
リレー２の接点２ａが閉成して遅延手段５６の遅延時間が経過すると、リレー３に十分な電流が流れてリレー３の接点３ａが閉成し、二次側の監視が開始される。
【００４９】
一方、リセットＩＣ４は、オン・ボード電源５２の二次側の電圧が正常値になって所定時間が経過すると、ハイ・レベルの信号を出力するようになる。ここで、リレー３の接点３ａの閉成よりリセットＩＣ４の出力のハイ・レベルへの遷移が早くする必要があるが、これを確実にするために遅延手段５６を使用して、リレー３の接点の閉成を遅らせるのである。これにより、リセットＩＣ４とリレー３の選択は無用になる。
【００５０】
リセットＩＣ４がハイ・レベルの信号を出力していて、リレー３の接点３ａが閉成している時には、リレー１には電流が流れずにリレー１の接点１ａは開放になっている。従って、オン・ボード電源５２のＲＣ端子にはアース電位が与えられず、オン・ボード電源５２にはリセットがかからず、オン・ボード電源５２の二次側の電圧は正常値を保っている。
【００５１】
この状態で電源供給装置５１の出力に瞬断が発生してオン・ボード電源５２の一次側の電圧に瞬断が発生すると、オン・ボード電源５２の二次側の電圧は低下する。
このオン・ボード電源５２の二次側の電圧の低下をリセットＩＣ４が直ちに検出して、リセットＩＣ４はロー・レベルの信号を出力するようになる。この時、リレー３の接点３ａは閉成しているので、リレー１に十分な電流が流れるようになって、リレー１の接点１ａが閉成し、オン・ボード電源５２のＲＣ端子にアース電圧を供給してオン・ボード電源５２の二次側への電圧出力を停止する。
【００５２】
又、上記オン・ボード電源５２の二次側の電圧の低下によってリレー２には十分な電流が流れられなくなり、リレー２の接点２ａは開放になる。
リレー２の接点２ａが開放になると、リレー３に十分な電流が流れられなくなり、リレー３の接点３ａが開放になる。
リレー３の接点３ａの開放に伴って、リレー３の接点３ａと直列に接続されているリレー１には十分な電流が流れられなくなり、リレー１の接点１ａは開放になる。従って、オン・ボード電源５２の二次側への電圧出力の停止は解除される。
【００５３】
解除後、オン・ボード電源５２の二次側の電圧が復旧すると、先に説明した電源投入時と全く同じ動作が行なわれ、最終的にリレー１の接点１ａが開放状態、リレー２の接点２ａが閉成状態、リレー３の接点３ａが閉成状態を保ち、又、リセットＩＣ４がハイ・レベルの信号を出力し続けて、リレー１、リレー２、リレー３及びリセットＩＣ４によってオン・ボード電源５２の二次側の電圧を監視し続けている。
【００５４】
即ち、正常立ち上がり監視手段を構成するリレー２、監視要否切り替え手段を構成するリレー３を備え、二次側監視手段を構成するリセットＩＣ４の出力の立ち上がりがリレー３の接点３ａの閉成より早くするように遅延手段５６を備えることによって、オン・ボード電源５２の二次側の電圧の過渡状態にオン・ボード電源５２を再度停止させることがなくなり、この動作の安定性を増すことができる。しかも、二次側の電圧の変化を直接検出してリセットＩＣ４、リレー２、リレー３及びリレー１を動作させるので、負荷回路５３に影響がある電圧変化に対応してオン・ボード電源の監視制御を行なうことができる。
【００５５】
図８は、本発明の第三の実施の形態である。
図８において、５１は電源供給装置、５２はオン・ボード電源、５３は負荷回路である。
そして、１は二次側制御手段を構成するリレー、１ａは二次側制御手段を構成するリレーの接点、２は正常立ち上がり監視手段を構成するリレー、２ａは正常立ち上がり監視手段を構成するリレーの接点、３は監視要否切り替え手段を構成するリレー、３ｂは監視要否切り替え手段を構成するリレーの接点である。尚、監視要否切り替え手段を構成するリレーの接点は、この場合には２接点である。
【００５６】
又、４は二次側監視手段を構成するリセットＩＣ、５はリセットＩＣ４の制御端子とアース間に接続される抵抗である。
ここで、リレー３の接点３ｂは２つの接点を有し、一方の接点はリセットＩＣ４及びリレー１と直列に接続され、もう一方の接点はリセットＩＣ４の制御端子と電圧源とに接続される。
【００５７】
図９は、図８の構成のタイミング・チャートである。以降、図８及び図９を参照して、図８の構成の動作を説明する。
初期状態では、リレー１、リレー２及びリレー３の接点は全て開放状態にある。そして、リレー３の接点３ｂが開放なので、リセットＩＣ４の制御端子には抵抗５を介してアース電位が与えられて、リセットＩＣ４は出力動作をマスクされている。
【００５８】
電源供給装置５１の電源が投入され、オン・ボード電源５２の一次側の電圧が正常値になり、これに伴ってオン・ボード電源５２の二次側の電圧が正常値になると、リレー２に十分な電流が流れてまずリレー２の接点２ａが閉成する。
リレー２の接点２ａが閉成すると、リレー３に十分な電流が流れてリレー３の接点３ａが閉成し、二次側の監視が開始される。この時、同時に、リセットＩＣ４の制御端子に電圧源の電圧が供給されてリセットＩＣ４の出力動作のマスクが解除される。
【００５９】
一方、リセットＩＣ４は、オン・ボード電源５２の二次側の電圧が正常値になって所定時間が経過すると、ハイ・レベルの信号を出力するようになる。ここで、リセットＩＣ４は、マスク解除より以前にハイ・レベルに遷移していればよい。
リセットＩＣ４がハイ・レベルの信号を出力していて、リレー３の接点３ａが閉成している時には、リレー１には電流が流れずにリレー１の接点１ａは開放になっている。従って、オン・ボード電源５２のＲＣ端子にはアース電位が与えられず、オン・ボード電源５２にはリセットがかからず、オン・ボード電源５２の二次側の電圧は正常値を保っている。
【００６０】
この状態で電源供給装置５１の出力に瞬断が発生してオン・ボード電源５２の一次側の電圧に瞬断が発生すると、オン・ボード電源５２の二次側の電圧が低下する。
このオン・ボード電源５２の二次側の電圧の低下をリセットＩＣ４が直ちに検出して、リセットＩＣ４はロー・レベルの信号を出力するようになる。この時、リレー３の接点３ａは閉成しているので、リレー１に十分な電流が流れるようになって、リレー１の接点１ａが閉成し、オン・ボード電源５２のＲＣ端子にアース電圧を供給してオン・ボード電源５２の二次側への電圧出力を停止する。
【００６１】
又、上記オン・ボード電源５２の二次側の電圧の低下によってリレー２には十分な電流が流れられなくなり、リレー２の接点２ａは開放になる。
リレー２の接点２ａが開放になると、リレー３に十分な電流が流れられなくなり、リレー３の接点３ａが開放になる。
リレー３の接点３ａの開放に伴って、リレー３の接点３ａと直列に接続されているリレー１には十分な電流が流れられなくなり、リレー１の接点１ａは開放になる。従って、オン・ボード電源５２の二次側への電圧出力の停止は解除される。
【００６２】
解除後、オン・ボード電源５２の二次側の電圧が復旧すると、先に説明した電源投入時と同じ動作が行なわれ、最終的にリレー１の接点１ａが開放状態、リレー２の接点２ａが閉成状態、リレー３の接点３ａが閉成状態を保ち、又、リセットＩＣ４がハイ・レベルの信号を出力し続けて、リレー１、リレー２、リレー３及びリセットＩＣ４によってオン・ボード電源５２の二次側の電圧を監視し続けている。
【００６３】
即ち、正常立ち上がり監視手段を構成するリレー２、監視要否切り替え手段を構成するリレー３を備え、監視要否切り替え手段を構成するリレー３の接点状態によって二次側監視手段を構成するリセットＩＣ４の出力動作をマスクするようにしても、既に説明した構成と同じ動作を実現することができる。
図１０は、本発明の第四の実施の形態である。
【００６４】
図１０において、５１は電源供給装置、５２はオン・ボード電源、５３は負荷回路である。
そして、１は二次側制御手段を構成するリレー、１ａは二次側制御手段を構成するリレーの接点、２は正常立ち上がり監視手段を構成するリレー、２ａは正常立ち上がり監視手段を構成するリレーの接点、３は監視要否切り替え手段を構成するリレー、３ｂは監視要否切り替え手段を構成するリレーの接点である。
【００６５】
又、４ａは二次側監視手段を構成する警報検出手段である。
図１０の構成の特徴は、二次側監視手段として負荷回路５３を監視する警報検出手段４ａを使用する点にある。
図１１は、図１０の構成のタイミング・チャートである。以降、図１０及び図１１を参照して、図１０の構成の動作を説明する。尚、警報のレベルをロー、警報が出力されていない時のレベルをハイとする。
【００６６】
初期状態では、リレー１、リレー２及びリレー３の接点は全て開放状態にある。
電源供給装置５１の電源が投入され、オン・ボード電源５２の一次側の電圧が正常値になり、これに伴ってオン・ボード電源５２の二次側の電圧が正常値になると、リレー２に十分な電流が流れてまずリレー２の接点２ａが閉成する。
【００６７】
リレー２の接点２ａが閉成して遅延手段５６の遅延時間が経過すると、リレー３に十分な電流が流れてリレー３の接点３ａが閉成し、二次側の監視が開始される。
一方、警報検出回路４ａは、二次側の電圧の立ち上がり以降暫くの間、負荷回路５３の異常を検出して警報を出力している。ここで、警報が解除されるタイミングはリレー３の接点３ａが閉成するタイミングより前である必要があるが、これは、遅延手段５６の使用によって確実に担保されるようになる。
【００６８】
警報検出回路４ａがハイ・レベルの信号を出力していて、リレー３の接点３ａが閉成している時には、リレー１には電流が流れずにリレー１の接点１ａは開放になっている。従って、オン・ボード電源５２のＲＣ端子にはアース電位が与えられず、オン・ボード電源５２にはリセットがかからず、オン・ボード電源５２の二次側の電圧は正常値を保っている。
【００６９】
この状態で電源供給装置５１の出力に瞬断が発生してオン・ボード電源５２の一次側の電圧に瞬断が発生すると、オン・ボード電源５２の二次側の電圧が低下する。
このオン・ボード電源５２の二次側の電圧の低下を警報検出回路４ａが直ちに検出して、警報検出回路４ａはロー・レベルの信号を出力するようになる。この時、リレー３の接点３ａは閉成しているので、リレー１に十分な電流が流れるようになって、リレー１の接点１ａが閉成し、オン・ボード電源５２のＲＣ端子にアース電圧を供給してオン・ボード電源５２の二次側への電圧出力を停止する。
【００７０】
又、上記オン・ボード電源５２の二次側の電圧の低下によってリレー２には十分な電流が流れられなくなり、リレー２の接点２ａは開放になる。
リレー２の接点２ａが開放になると、リレー３に十分な電流が流れられなくなり、リレー３の接点３ａが開放になる。
リレー３の接点３ａの開放に伴って、リレー３の接点３ａと直列に接続されているリレー１には十分な電流が流れられなくなり、リレー１の接点１ａは開放になる。従って、オン・ボード電源５２の二次側への電圧出力の停止は解除される。
【００７１】
解除後、オン・ボード電源５２の二次側の電圧が復旧すると、先に説明した電源投入時と全く同じ動作が行なわれ、最終的にリレー１の接点１ａが開放状態、リレー２の接点２ａが閉成状態、リレー３の接点３ａが閉成状態を保ち、又、警報検出回路４ａがハイ・レベルの信号を出力し続けて、リレー１、リレー２、リレー３及び警報検出回路４ａによってオン・ボード電源５２の二次側の電圧を監視し続けている。
【００７２】
即ち、図１０の構成によっても、オン・ボード電源５２の二次側の電圧の過渡状態にオン・ボード電源５２を再度停止させることがなくなる。しかも、二次側の電圧の変化ではなく、負荷回路５３の異常を直接検出してリレー２、リレー３及びリレー１を動作させるので、電圧変化の負荷回路５３への影響を更に正確に判断してオン・ボード電源の監視制御を行なうことができる。
【００７３】
図１２は、本発明の第五の実施の形態である。
図１２において、５１は電源供給装置、５２、５２ａ及び５２ｎはオン・ボード電源、５３、５３ａ及び５３ｎは負荷回路である。
そして、１１、１２及び１ｎは二次側制御手段を構成するリレー、１１ａ、１２ａ及び１ｎａは二次側制御手段を構成するリレーの接点、２１、２２、２ｎは正常立ち上がり監視手段を構成するリレー、２１ａ、２２ａ及び２ｎａは正常立ち上がり監視手段を構成するリレーの接点、３１、３２及び３ｎは監視要否切り替え手段を構成するリレー、３１ａ、３２ａ及び３ｎａは監視要否切り替え手段を構成するリレーの接点であり、５６は遅延手段である。
【００７４】
又、４１、４２及び４ｎは二次側監視手段を構成するリセットＩＣである。
図１２に示した構成は、単一の電源供給装置５１から電力を供給される複数のオン・ボード電源５２、５２ａ及び５２ｎが、複数の負荷回路５３、５３ａ及び５３ｎに対して各々個別に電力を供給する場合のものである。従って、各々のオン・ボード電源について二次側監視手段、正常立ち上がり監視手段及び監視要否切り替え手段が備えられている。
【００７５】
図１２の構成の特徴は、全ての正常立ち上がり監視手段を構成するリレーの接点が閉成した時に、監視要否切り替え手段を構成するリレーの接点が閉成して監視を開始し、いずれかの二次側監視手段を構成するリセットＩＣがロー・レベルの信号を出力した時に、当該リセットＩＣと接続されている二次側制御手段を構成するリレーの接点が閉成して、全てのオン・ボード電源の二次側への出力をリセットすることにある。これは、それぞれのオン・ボード電源が個別に負荷回路に電力を供給する場合でも、全ての負荷回路が一緒に正常に動作することが要求される場合に有効な電源監視制御方式である。
【００７６】
図１３は、本発明の第六の実施の形態である。
図１３において、５１は電源供給装置、５２、５２ａ及び５２ｎはオン・ボード電源、５３は負荷回路である。
そして、１１、１２及び１ｎは二次側制御手段を構成するリレー、１１ａ、１２ａ及び１ｎａは二次側制御手段を構成するリレーの接点、２１、２２、２ｎは正常立ち上がり監視手段を構成するリレー、２１ａ、２２ａ及び２ｎａは正常立ち上がり監視手段を構成するリレーの接点、３は監視要否切り替え手段を構成するリレー、３ａは監視要否切り替え手段を構成するリレーの接点であり、５６は遅延手段である。
【００７７】
又、４１、４２及び４ｎは二次側監視手段を構成するリセットＩＣである。
図１３に示した構成は、単一の電源供給装置５１から電力を供給される複数のオン・ボード電源が単一の負荷回路に対して分担して電力を供給する場合のものである。従って、各々のオン・ボード電源について二次側監視手段、正常立ち上がり監視手段が備えられており、監視要否切り替え手段だけが唯一備えられている。
【００７８】
図１３の構成の特徴は、全ての正常立ち上がり監視手段を構成するリレー２１、２２、２ｎの接点が閉成した時に、監視要否切り替え手段を構成するリレー３の接点が閉成して監視を開始し、いずれかの二次側監視手段を構成するリセットＩＣがロー・レベルの信号を出力した時に、当該リセットＩＣと接続されている二次側制御手段を構成するリレーの接点が閉成して、全てのオン・ボード電源の二次側への出力をリセットすることにある。これは、それぞれのオン・ボード電源が分担して単一の負荷回路に電力を供給する場合、いずれか１つでもオン・ボード電源が異常になった時には負荷回路への電力供給を停止するために有効な電源監視制御方式である。
【００７９】
尚、図１３においては、各々のオン・ボード電源の出力を負荷回路の入力端子にて接続する部位に挿入すべき逆流防止のダイオードの図示を省略しているので、二次側監視手段を構成するリレーと正常立ち上がり監視手段を構成するリレーを複数備える意味がないかのように思えるが、該逆流防止ダイオードが存在することによって各々のオン・ボード電源の出力が単に並列接続される訳ではないので、二次側監視手段を構成するリレーと正常立ち上がり監視手段を構成するリレーは複数備えておく必要がある。
【００８０】
又、図１３では監視要否切り替え手段を構成するリレーを負荷回路の入力端子に接続することを想定しているので監視要否切り替え手段を構成するリレーは１つだけでよいが、図示を省略されている逆流防止ダイオードよりオン・ボード電源側に接続する場合には、監視要否切り替え手段を構成するリレーはオン・ボード電源の数だけ必要になる。
【００８１】
さて、最初にも記載したように、オン・ボード電源として説明してきたものは通信装置や情報処理装置に備えられる一般の電源であってもよく、負荷回路として説明してきたものは通信装置自体や情報処理装置自体までをカバーするものである。従って、オン・ボード電源は一般的に電源と書き直すべきものであり、負荷回路は一般的に負荷と書き直すべきものである。
【００８２】
（付記１）  電源の二次側の状況を二次側監視手段にて監視し、監視の結果二次側の状況が異常な場合に二次側制御手段によって電圧出力を一旦停止した後に再起動させる電源監視制御方式において、二次側の電圧が正常に立ち上がったことを確認する正常立ち上がり監視手段と、該正常立ち上がり監視手段が二次側の電圧が正常に立ち上がったことを確認した時に、該二次側監視手段の監視動作を開始させる監視要否切り替え手段とを備えることを特徴とする電源監視制御方式。
【００８３】
（付記２）  付記１に記載の電源監視制御方式において、上記正常立ち上がり監視手段と上記監視要否切り替え手段との間に、遅延手段を配置することを特徴とする電源監視制御方式。
（付記３）  付記１又は付記２のいずれかに記載の電源監視制御方式において、上記監視要否切り替え手段が出力する監視を停止する旨の信号によって、上記二次側監視手段の動作を無視することを特徴とする電源監視制御方式。
【００８４】
（付記４）  付記１又は付記２のいずれかに記載の電源監視制御方式において、上記二次側監視手段が、二次側の電圧を直接監視することを特徴とする電源監視制御方式。
（付記５）  付記１又は付記２のいずれかに記載の電源監視制御方式において、上記二次側監視手段が、負荷回路の状態を監視することを特徴とする電源監視制御方式。
【００８５】
（付記６）  複数の電源がそれぞれ複数の負荷を駆動する場合の、複数の電源の二次側の状況を複数の二次側監視手段にて監視し、監視の結果二次側の状況が異常な場合に二次側制御手段によって異常な電源の電圧出力を一旦停止した後に再起動させる電源監視制御方式において、二次側の電圧が正常に立ち上がったことを確認する正常立ち上がり監視手段と、該正常立ち上がり監視手段が二次側の電圧が正常に立ち上がったことを確認した時に、該二次側監視手段の監視動作を開始させる監視要否切り替え手段とを複数の電源毎に備え、全ての正常立ち上がり監視手段が二次側の電圧が正常に立ち上がったことを確認した時に、該二次側監視手段の監視動作を開始させ、一つでも二次側監視手段が二次側の電圧が異常であることを検出した時には、全ての電源の電圧出力を停止することを特徴とする電源監視制御方式。
【００８６】
（付記７）  複数の電源が単一の負荷を駆動する場合の、複数の電源の二次側の状況を複数の二次側監視手段にて監視し、監視の結果二次側の状況が異常な場合に二次側制御手段によって異常な電源の電圧出力を一旦停止した後に再起動させる電源監視制御方式において、二次側の電圧が正常に立ち上がったことを確認する正常立ち上がり監視手段を複数の電源毎に備えると共に、該正常立ち上がり監視手段が二次側の電圧が正常に立ち上がったことを確認した時に、該二次側監視手段の監視動作を開始させる単一の監視要否切り替え手段を備え、全ての正常立ち上がり監視手段が二次側の電圧が正常に立ち上がったことを確認した時に、該二次側監視手段の監視動作を開始させ、一つでも二次側監視手段が二次側の電圧が異常であることを検出した時には、全ての電源の電圧出力を停止することを特徴とする電源監視制御方式。
【００８７】
【発明の効果】
以上詳述した如く、本発明により、電源の二次側の状況を二次側監視手段にて監視し、監視の結果二次側の状況が異常な場合に二次側制御手段によって電圧出力を一旦停止した後に再起動させる電源監視制御方式に関し、負荷に影響する状態か否かを正確に判断でき、且つ、異常状態からの再起動の過渡状態に電圧出力を再度停止することがない電源監視制御方式を実現することができる。
【００８８】
即ち、第一の発明によれば、二次側の電圧が正常に立ち上がったことを確認する正常立ち上がり監視手段を備えるので、負荷に影響する状態か否かを正確に判断でき、且つ、該正常立ち上がり監視手段が二次側の電圧が正常に立ち上がったことを確認した時に、二次側監視手段の監視動作を開始させる監視要否切り替え手段とを備えるので、異常状態からの再起動の過渡状態に電圧出力を再度停止することがない。
【００８９】
又、第二の発明によれば、該正常立ち上がり監視手段と該監視要否切り替え手段との間に、遅延手段を配置することにより、該正常立ち上がり監視手段が二次側の電圧が正常に立ち上がったことを確認した後で該監視要否切り替え手段が監視要否の切り替えを行なうので、異常状態からの再起動動作を確実にすることができる。
【００９０】
更に、第三の発明によれば、監視要否切り替え手段が出力する監視を停止する旨の信号によって、二次側監視手段の動作を無視するので、異常状態からの再起動動作を確実にするための遅延手段を使用しなくても、異常状態からの再起動動作を確実にすることができる。
【図面の簡単な説明】
【図１】本発明の電源監視制御方式の原理（その１）。
【図２】本発明の電源監視制御方式の原理（その２）。
【図３】本発明の電源監視制御方式の原理（その３）。
【図４】本発明の第一の実施の形態。
【図５】図４の構成のタイミング・チャート。
【図６】本発明の第二の実施の形態。
【図７】図６の構成のタイミング・チャート。
【図８】本発明の第三の実施の形態。
【図９】図６の構成のタイミング・チャート。
【図１０】本発明の第四の実施の形態。
【図１１】図１０の構成のタイミング・チャート。
【図１２】本発明の第五の実施の形態。
【図１３】本発明の第六の実施の形態。
【図１４】従来の電源監視制御方式（その１）。
【図１５】従来の電源監視制御方式（その２）。
【図１６】電源瞬断発生時の問題点を説明する図。
【符号の説明】
１、１１、１２、１ｎ  二次側制御手段を構成するリレー
１ａ、１１ａ、１２ａ、１ｎａ  二次側制御手段を構成するリレーの接点
２、２１、２２、２ｎ  正常立ち上がり監視手段を構成するリレー
２ａ、２１ａ、２２ａ、２ｎａ  正常立ち上がり監視手段を構成するリレーの接点
３、３１、３２、３ｎ  監視要否切り替え手段を構成するリレー
３ａ、３ｂ、３１ａ、３２ａ、３ｎａ  監視要否切り替え手段を構成するリレーの接点
４  リセットＩＣ
５１  電源供給装置
５２  オン・ボード電源
５３  負荷回路
５４  二次側監視手段
５５  正常立ち上がり監視手段
５６  遅延手段
５７  監視要否切り替え手段
５８  二次側制御手段
５９  一次側監視手段
６０  補助電源装置
【図１】
2004187402.tif 000003
【図２】
2004187402.tif 000004
【図３】
2004187402.tif 000005
【図４】
2004187402.tif 000006
【図５】
2004187402.tif 000007
【図６】
2004187402.tif 000008
【図７】
2004187402.tif 000009
【図８】
2004187402.tif 000010
【図９】
2004187402.tif 000011
【図１０】
2004187402.tif 000012
【図１１】
2004187402.tif 000013
【図１２】
2004187402.tif 000014
【図１３】
2004187402.tif 000015
【図１４】
2004187402.tif 000016
【図１５】
2004187402.tif 000017
【図１６】
2004187402.tif 000018